(57)【要約】【課題】本体ケースに天板を着脱自在に取り付けるようにして、修理の際に天板の交換が容易な加熱調理器を得ることを目的とする。【解決手段】上面に開口部を有する本体ケース３と、該本体ケース３内で開口部位置に配設された３つの加熱用コイル２２と、該本体ケース３の上面に配設されるセラミックス材より成る平板状の天板３０とを備えてなる加熱調理器において、本体ケース３に開口部を覆うように天板３０の外周縁を複数の取付ネジ３５により着脱自在に取り付けてなるものである。【選択図】　　　　図１
2004071320.tif 000002
【特許請求の範囲】
【請求項１】
上面に開口部を有する本体ケースと、該本体ケース内で開口部位置に配設された複数の加熱用コイルと、該本体ケースの上面に配設されるセラミックス材より成る平板状の天板とを備えてなる加熱調理器において、
前記本体ケースに前記開口部を覆うように前記天板の外周縁を取付手段により着脱自在に取り付けたことを特徴とする加熱調理器。
【請求項２】
前記取付手段は前記天板の外周縁に形成された複数の取付穴と、前記本体ケースに形成された複数のネジ穴と、前記本体ケースに載置された前記天板の取付穴を貫通して該本体ケースのネジ穴にネジ止めする複数の取付ネジとからなることを特徴とする請求項１記載の加熱調理器。
【請求項３】
前記天板の外周縁に形成された各取付穴の直径は前記取付ネジの直径より大きく形成したことを特徴とする請求項２記載の加熱調理器。
【請求項４】
前記本体ケースと前記天板の外周縁との間で前記取付ネジの取付位置に天板保護用クッションを介在させたことを特徴とする請求項２又は３のいずれかに記載の加熱調理器。
【請求項５】
前記本体ケースと前記天板の外周縁との間に前記取付ネジが貫通する前記本体ケースの開口部より一回り大きい枠状の防水パッキンを介在させたことを特徴とする請求項２又は３のいずれかに記載の加熱調理器。
【請求項６】
前記枠状の防水パッキンの側壁全周に前記天板に向けて天板裏面より所定寸法だけ突出する圧接変形容易なリップ片を設けたことを特徴とする請求項５記載の加熱調理器。
【請求項７】
前記天板の前側と両側の外周縁に上縁から下縁に垂れ下がる傾斜面を形成又は前記天板の前側と両側の外周上縁にアール部を形成したことを特徴とする請求項１〜６のいずれかに記載の加熱調理器。
【請求項８】
前記取付手段は前記本体ケースに載置された前記天板の外周縁の隅角部を押える押え部と、該押え部に連設され、取付ネジにより前記本体ケースに着脱自在に取り付られる固定部とを有する天板コーナ取付具であることを特徴とする請求項１記載の加熱調理器。
【請求項９】
前記天板コーナ取付具の押え部位置における前記本体ケースと前記天板の外周縁との間に天板保護用クッションを介在させたことを特徴とする請求項８記載の加熱調理器。
【請求項１０】
前記取付手段は前記本体ケースに載置された前記天板の外周縁を覆うようにして押え、取付ネジにより前記本体ケースに着脱自在に取り付られる押え部を有する天板周縁取付具であることを特徴とする請求項１記載の加熱調理器。
【請求項１１】
前記取付手段は前記本体ケースに載置された前記天板の外周縁を覆うようにして押える押え部と、該押え部に連設され、取付ネジにより前記本体ケースに着脱自在に取り付られる固定部とを有する天板周縁取付具であることを特徴とする請求項１記載の加熱調理器。
【請求項１２】
前記天板の外周縁はコ字状のシール用パッキンで覆われていることを特徴とする請求項１０又は１１のいずれかに記載の加熱調理器。
【請求項１３】
前記天板周縁取付具の押え部の角部にアール部を形成したことを特徴とする請求項１０〜１２のいずれかに記載の加熱調理器。
【発明の詳細な説明】
【０００１】
【発明の属する技術分野】
本発明は加熱調理器、特にその組立容易な加熱調理器に関するものである。
【０００２】
【従来の技術】
図１７は例えば特許第３０２４５６４号公報に開示されている従来の誘導加熱調理器の構成を示す断面図である。
図１７において、本体外枠１１２の上面には、調理容器１１５を載置する結晶化ガラス等の無機材料から成るトッププレート１１１を、接着剤を塗布した接合部１１３によって固定している。本体外枠１１２内には、高周波磁界を発生する誘導加熱コイル１１７，誘導加熱コイル１１７に高周波電流を供給する制御回路１１８，冷却ファン１１６を配置している。また、接合部１１３には、冷却部として、トッププレート１１１との隙間がトッププレート１１１を接着した接着剤塗布部より大となるように形成した屈曲形状部１１４を設けている。
【０００３】
従来の誘導加熱調理器は上記のように構成されており、図示していないスタートボタンを押すと、制御回路１１８が作動を開始して誘導加熱コイル１１７に高周波電流の供給を開始する。誘導加熱コイル１１７が発生する高周波磁界がトッププレート１１１上に載置した調理容器１１５に鎖交すると、調理容器１１５が誘導加熱され発熱する。こうして調理容器１１５内に収容した調理物は調理される。この調理期間中は冷却ファン１１６が動作しており、誘導加熱コイル１１７，制御回路１１８等の収容部品を冷却している。
また、本体外枠１１２の接合部には、冷却部として、トッププレート１１１との隙間がトッププレート１１１を接着する接着剤塗布部より大となるように形成した屈曲形状部１１４を設けているため、調理容器１１５から受ける熱伝導による影響は少なくなる。つまり、冷却ファン１１６が送風する冷却風によって接合部１１３の温度が低減され、接合部１１３付近のトッププレート１１１の割れ、クラックの発生を防止することができる。
【０００４】
【発明が解決しようとする課題】
上記のような従来の誘導加熱調理器では、本体外枠１１２の上面には、調理容器１１５を載置するトッププレート１１１を、接着剤を塗布した接合部１１３によって固定し、その接合部１１３には、冷却部として、トッププレート１１１との隙間がトッププレート１１１を接着した接着剤塗布部より大となるように形成した屈曲形状部１１４を設け、冷却ファン１１６が送風する冷却風によって接合部１１３の温度を低減し、接合部１１３付近のトッププレート１１１の割れ、クラックの発生を防止するようにしている。
しかしながら、結晶化ガラス等の無機材料から成るトッププレート１１１は耐衝撃性には比較的弱く、加熱調理中は平らなトッププレート１１１に載せられた調理容器１１５が誘導加熱コイル１１７からの磁界により微振動したり、油炒め料理の場合、油を食材にゆきとどかすために調理容器１１５を上下動させてトッププレート１１１に当てたり、又流し台の上面にトッププレート１１１が平面状に露出しているため、食器類が落下したりしてヒビや割れが生じていた。
【０００５】
また、トッププレート１１１の一部が直接調理容器１１５の高温にさらされ、トッププレート１１１が熱膨張を起こし場合に、本体外枠１１２の上面にトッププレート１１１が接着剤を塗布した接合部１１３によって固着されているため、熱膨張により生じた応力が固着部分に集中する。このとき、冷却ファン１１６が送風する冷却風によって屈曲形状部１１４を冷却して接合部１１３の温度を低減し、接合部１１３付近のトッププレート１１１の割れ、クラックの発生を防止するようにしているが、冷却ファン１１６の冷却風による冷却が不十分であると、トッププレート１１１の接着剤との固着部分にヒビや割れが生じることがある。このようにトッププレート１１１にヒビや割れが生じると、サービス修理時にトッププレート１１１の交換が必要となるが、トッププレート１１１が接着剤により本体外枠１１２の上面に固着されているため、トッププレート１１１単体の交換ができないという問題点があった。
また、近年資源の節約という観点からリサイクル処理が行われるようになってきているが、かかるリサイクル処理の際もトッププレート１１１と本体外枠１１２の分離が困難を極めているため、リサイクル処理も困難であるという問題点があった。
【０００６】
また、図１８は例えば実開昭６１−３９８８７号公報に開示されているもう１つの従来の電磁加熱調理器の構成を示す断面図である。
図１８に示す従来の電磁加熱調理器は、箱形をなすケース本体２０１の上部開口部に耐熱ガラスで作ったトッププレート２０２を設け、このトッププレート２０２を囲むように飾り枠体２０３を配置する。その飾り枠体２０３は図１８に示すように、ケース本体２０１に設けたトッププレート２を囲む枠状をなし、下側に設けた突部２０４を、ケース本体２０１に設けた凹部２０５に嵌合し、ケース本体２０１と飾り枠体２０３をねじ２０６により結合することでトッププレート２０２をケース本体２０１に固定配置するようにしている。
【０００７】
かかる従来の電磁加熱調理器は、ケース本体２０１にトッププレート２０２を接着剤で固定するものではないが、ケース本体２０１と飾り枠体２０３をねじ２０６により結合することでトッププレート２０２をケース本体２０１に固定配置し、そのトッププレート２０２を飾り枠体２０３が囲むようにしているから、トッププレート２０２が熱膨張を起こし場合に、トッププレート２０２の外周縁に逃げ場がなく、熱膨張により生じた応力がトッププレート２０２の外周縁に集中してヒビや割れが生じることがある。
このようにトッププレート２０２にヒビや割れが生じると、トッププレート２０２の交換が必要となる。そして、トッププレート２０２の交換はねじ２０６を緩めてケース本体２０１から飾り枠体２０３を取り外すことにより行うことができるが、その場合にはケース本体２０１内からねじ２０６を緩めなければならず、結局はケース本体２０１を設置場所から取り外し、ケース本体２０１を一部分解してからしかトッププレート２０２を交換することができず、トッププレート２０２の交換に非常に手間がかかるという問題点が依然残るものであった。
【０００８】
なお、一般に、電子レンジの扉はその中央部に加熱室の内部を観察できるように多数の小孔が穿設された金属製の扉板と、この扉板の加熱室側に配置された例えば耐熱ガラスからなる内側透明板と、さらに扉板の反加熱室側に取り付けられた外側透明板とから構成され、内側透明板はその周縁部が接着剤や取付板によって扉板に固定されている。
しかし、電子レンジの扉の内側に取り付けられた内側透明板は垂直な板であり、加熱調理される調理用鍋は加熱室のターンテーブルに載置されるため、調理用鍋が垂直な板である内側透明板に直接当たることがなく、ヒビや割れを生じさせるおそれがないと共に調理用鍋により高温にさらされることもないことから、修理の必要も殆どないものである。
【０００９】
本発明は、このような問題点を解決するためになされたものであり、本体ケースに天板を着脱自在に取り付けるようにして、修理の際に天板の交換が容易な加熱調理器を得ることを目的とする。
【００１０】
【課題を解決するための手段】
本発明の請求項１に係る加熱調理器は、上面に開口部を有する本体ケースと、該本体ケース内で開口部位置に配設された複数の加熱用コイルと、該本体ケースの上面に配設されるセラミックス材より成る平板状の天板とを備えてなる加熱調理器において、前記本体ケースに前記開口部を覆うように前記天板の外周縁を取付手段により着脱自在に取り付けたものである。
【００１１】
本発明の請求項２に係る加熱調理器は、前記取付手段が前記天板の外周縁に形成された複数の取付穴と、前記本体ケースに形成された複数のネジ穴と、前記本体ケースに載置された前記天板の取付穴を貫通して該本体ケースのネジ穴にネジ止めする複数の取付ネジとからなるものである。
【００１２】
本発明の請求項３に係る加熱調理器は、前記天板の外周縁に形成された各取付穴の直径を前記取付ネジの直径より大きく形成したものである。
【００１３】
本発明の請求項４に係る加熱調理器は、前記本体ケースと前記天板の外周縁との間で前記取付ネジの取付位置に天板保護用クッションを介在させたものである。
【００１４】
本発明の請求項５に係る加熱調理器は、前記本体ケースと前記天板の外周縁との間に前記取付ネジが貫通する前記本体ケースの開口部より一回り大きい枠状の防水パッキンを介在させたものである。
【００１５】
本発明の請求項６に係る加熱調理器は、前記枠状の防水パッキンの側壁全周に前記天板に向けて天板裏面より所定寸法だけ突出する圧接変形容易なリップ片を設けたものである。
【００１６】
本発明の請求項７に係る加熱調理器は、前記天板の前側と両側の外周縁に上縁から下縁に垂れ下がる傾斜面を形成又は前記天板の前側と両側の外周上縁にアール部を形成したものである。
【００１７】
本発明の請求項８に係る加熱調理器は、前記取付手段が前記本体ケースに載置された前記天板の外周縁の隅角部を押える押え部と、該押え部に連設され、取付ネジにより前記本体ケースに着脱自在に取り付られる固定部とを有する天板コーナ取付具としたものである。
【００１８】
本発明の請求項９に係る加熱調理器は、前記天板コーナ取付具の押え部位置における前記本体ケースと前記天板の外周縁との間に天板保護用クッションを介在させたものである。
【００１９】
本発明の請求項１０に係る加熱調理器は、前記取付手段が前記本体ケースに載置された前記天板の外周縁を覆うようにして押え、取付ネジにより前記本体ケースに着脱自在に取り付られる押え部を有する天板周縁取付具としたものである。
【００２０】
本発明の請求項１１に係る加熱調理器は、前記取付手段が前記本体ケースに載置された前記天板の外周縁を覆うようにして押える押え部と、該押え部に連設され、取付ネジにより前記本体ケースに着脱自在に取り付られる固定部とを有する天板周縁取付具としたものである。
【００２１】
本発明の請求項１２に係る加熱調理器は、前記天板の外周縁はコ字状のシール用パッキンで覆われているようにしたものである。
【００２２】
本発明の請求項１３に係る加熱調理器は、前記天板周縁取付具の押え部の角部にアール部を形成したものである。
【００２３】
【発明の実施の形態】
実施の形態１．
図１は本発明の実施の形態１に係る誘導加熱調理器を流し台に組み込んだ状態の断面図、図２は同誘導加熱調理器の斜視図、図３は同誘導加熱調理器の天板の取付部の要部を示す断面図、図４は同誘導加熱調理器の本体ケースに取り付けられる天板の一部を示す斜視図である。
図において、１は流し台２に組み込まれた誘導加熱調理器である。３は誘導加熱調理器１の上面に開口部を有する本体ケース、４は本体ケース３の開口部の下方に形成された発熱体収容室、５は本体ケース３の前側下方に形成され、発熱体収容室４に併設された表示体収容室、６は誘導加熱調理器１の後側の左右にそれぞれ設けられ、外気を本体ケース３に導入する外気導入路である。７は外気導入路６の吸気口に着脱自在に設けられた吸気カバー、８は本体ケース３の後側に形成され、外気導入路５の排出側と連通する外気取入口である。
【００２４】
９は発熱体収容室４の底部に形成された外気連通穴、１０は発熱体収容室４と表示体収容室５との仕切壁に形成された外気連通口である。１１は表示体収容室５の前壁に形成された外気排出口である。１１ａは本体ケース３の側壁に形成された外気排出口である。
１２は本体ケース３の前側に設けられたドア１３を有するグリラー、１４は本体ケース３の後側に設けられた送風機、１５は本体ケース３の真ん中に設けられたトランスや各種電気部品等が搭載された電源基板である。１６ａ、１６ｂはグリラー１２の前方下側に設けられた調理器用操作ツマミ及びグリラー用操作ツマミ、１７はグリラー１２の前方上側に設けられた表示部である。
１８は本体ケース３の前側上面に設けられたランプ点灯具合で出力電力量を表示する出力表示部、１９は本体ケース３の前側上面に設けられたタイマ時間及び温度を表示する温度・タイマ表示部である。２０は表示体収容室５内に収容されたランプ等が搭載された表示体制御基板である。
【００２５】
２１は発熱体収容室４内にそれぞれ配設された３つのコイル保持台、２２は各コイル保持台２１に保持された発熱体である誘導加熱コイルで、誘導加熱コイルの上面は上部本体ケース３の開口面と面一となっている。２３はコイル保持台２１を上方に付勢するコイルスプリング、２４は発熱体収容室４の底部に設けられた制御用部品が搭載された発熱体制御基板である。
２５は本体ケース３の開口部周縁に形成された水平な天板支持部、２６は天板支持部２５の各隅角部に設けられたネジ穴、２７は本体ケース３の外周縁が下向きに折り曲げられて形成されたクッション取付用フランジ、２８はクッション取付用フランジ２６の内側に例えば接着剤で固着された本体用クッションである。
【００２６】
３０は調理用鍋が載置されるセラミックス材で形成され、本体ケース３の開口部より一回り大きい略矩形の天板である。その天板３０の外周縁の各隅角部にそれぞれ取付ネジ３５のネジ径より若干大きめの取付穴３１が設けられている。３２は天板３０の外周の上縁に形成された所定の曲率を有するアール部、３３は天板保護用クッションである。３４は取付ネジ３５の頭部を覆う軟質材で形成された保護キャップである。３６は天板３０の上面に印刷されたサークルラインで、調理用鍋の載置位置を指定するものである。
【００２７】
次に、天板３０を本体ケース３に取り付ける手順について説明する。
本体ケース３の天板支持部２５でネジ穴２６がある位置に天板保護用クッション３３を載置し、天板支持部２５のネジ穴２６と保護用クッション３３の穴を整合させ、さらに天板支持部２５のネジ穴２６に天板３０の外周縁の各隅角部に設けられた取付穴３１を整合させる。
そして、取付ネジ３５を天板３０の取付穴３１から入れて保護用クッション４０を介して天板支持部２５のネジ穴２６にネジ止めして本体ケース３に天板３０が取り付られている。
こうして天板３０が本体ケース３に取り付けられて誘導加熱調理器１が構成される。そして、このように構成された誘導加熱調理器１は図１に示すように流し台２にセットされる。
なお、流し台２に予め本体ケース３をセットしておき、その本体ケース３に天板３０を取り付けるようにしてもよい。
【００２８】
上記のように構成された誘導加熱調理器１は、グリラー１２の前方下側に設けられた調理器用操作ツマミ１６ａを操作すると、電源基板１５や発熱体制御基板２４等が作動を開始して誘導加熱コイル２２に高周波電流の供給を開始する。誘導加熱コイル２２が発生する高周波磁界が天板３０上に載置した調理用鍋（図示省略）に鎖交すると、調理用鍋が誘導加熱され発熱する。こうして調理用鍋内に収容した調理物は調理される。
また、グリラー用操作ツマミ１６ｂを操作すると、制御回路（図示省略）が作動を開始してグリラー１２のヒータに電流の供給を開始し、ヒータが発熱してグリラー１２内の調理部が加熱調理される。
【００２９】
また、誘導加熱調理器１の使用中は、送風機１４が駆動しており、吸気カバー７を介して外気導入路６に取りれられた外気は本体ケース３の外気取入口８より本体ケース３内に入り送風機１４を経て電源基板１５やグリラー１２を冷却して本体ケース３の側壁に形成された外気排出口１１ａから外部に排出される。また、本体ケース３内に入った外気は外気連通穴９を通って発熱体収容室４に入り、発熱体制御基板２４や誘導加熱コイル２２を冷却し、さらに外気連通口１０を通って表示体収容室５に入り、表示体制御基板２０や出力表示部１８及び温度・タイマ表示部１９を冷却し、表示体収容室５の前壁に形成された外気排出口１１から外部に排出される。
【００３０】
このように本発明の実施の形態１の誘導加熱調理器によれば、本体ケース３の天板支持部２５でネジ穴２６がある位置に天板保護用クッション３３を載置し、天板支持部２５のネジ穴２６と天板保護用クッション３３の穴を整合させ、さらに天板支持部２５のネジ穴２６に天板３０の外周縁の各隅角部に設けられた取付穴３１を整合させ、取付ネジ３５を天板３０の取付穴３１から入れて保護用クッション４０を介して天板支持部２５のネジ穴２６にネジ止めし、本体ケース３に天板３０を取り付けることによって誘導加熱調理器１を構成するようにしたので、天板３０を本体ケース３の天板支持部２５に載置した後に取付ネジ３５でネジ止めするだけで誘導加熱調理器１を簡単に完成させることができる。
【００３１】
また、天板３０を本体ケース３の天板支持部２５に載置した後に取付ネジ３５でネジ止めするときに、天板３０と本体ケース３の天板支持部２５との間に天板保護用クッション３３があるので、本体ケース３の天板支持部２５により天板３０が傷付くことがない。
【００３２】
また、誘導加熱調理器１の天板３０に調理用鍋が当たったり、食器棚等より食器類が落下したり等でヒビや割れが生じ、サービス修理時に天板３０を交換する場合、天板３０と本体ケース３の天板支持部２５とを固着している取付ネジ３５を緩めることにより、簡単に本体ケース３から天板３０を分離することができるため、天板３０単体の交換を容易に行うことができ、リサイクル処理も容易に行うことができる。
【００３３】
さらに、天板３０を本体ケース３に取付ネジ３５で取り付けているが、天板３０の外周縁に設けた取付穴３１は取付ネジ３５のネジ径より若干大きめに形成されているので、天板３０の一部が直接調理用鍋の高温にさらされ、天板３０が熱膨張した場合に、取付穴３１の取付ネジ３５に対する余裕分だけ延びることができ、天板３０にヒビや割れを生じさせることがなくなる。特に、発熱体であるが誘導加熱コイル２２が複数使用されていると、熱膨張が大きいが、この場合に有効である。
また、天板３０を本体ケース３に取付ネジ３５で直接組み付けるようにしたので、天板３０の取付穴３１と本体ケース３の天板支持部２５のネジ穴２６の穴加工だけで済み、組み付け費用のコストを低減することもできる。
【００３４】
さらに、天板３０の外周の上縁は所定の曲率を有するアール部３２として形成されているので、調理用鍋を天板３０に載置した場合に、調理用鍋が天板３０の外周上縁に引っかかって天板３０を傷付けたり、調理用鍋から調理物が流れ出ることがなく、また天板３０を清掃する場合に、天板３０の外周上縁で指等を傷付けることがない。さらに、天板３０の外周上縁に水滴化した煮物汁等を容易に本体ケース３側に落下させることができる。
さらに、天板３０を本体ケース３に取り付ける取付ネジ３５の頭部は天板３０の表面から突出しているが、その取付ネジ３５の頭部は軟質材で形成された保護キャップ３４で覆われているので、調理用鍋を天板３０に載置した場合に、調理用鍋が取付ネジ３５の頭部に当たったとしても天板３０に衝撃を与えることもない。
なお、取付ネジ３５の数は４個に限定するものではなく、必要に応じて何個使用しても良い。
【００３５】
実施の形態２．
図５は本発明の実施の形態２に係る誘導加熱調理器の天板の取付部の要部を示す断面図、図６は同誘導加熱調理器の天板の取付部の要部を示す斜視図である。図において、本発明の実施の形態１と同様の構成は同一符号を付して重複した構成の説明を省略する。
この実施の形態２は実施の形態１と異なり、天板コーナ取付具４０を用いて天板３０を本体ケース３の天板支持部２５に取り付けるものである。
この実施の形態２の天板コーナ取付具４０は図５及び図６に示すように天板３０の外周縁の隅角部を押さえる三角形の押え部４１と該押え部４１に段差を持って連設され、Ｌ形の固定部４２とで構成されたものである。そして、Ｌ形の固定部４２には左右にそれぞれネジ穴４３が設けられている。
【００３６】
この実施の形態２では、本体ケース３の天板支持部２５の各隅角部に設けられたネジ穴２６がある位置に天板保護用クッション３３を載置し、天板支持部２５のネジ穴２６と天板保護用クッション３３の穴を整合させ、しかる後に本体ケース３の天板支持部２５に天板３０の外周縁を載置し、天板コーナ取付具４０の押え部４１を天板３０の外周縁の隅角部に当接させ、天板コーナ取付具４０の固定部４２のネジ穴４３を天板支持部２５のネジ穴２６と保護用クッション３３の穴に整合させる。
そして、取付ネジ３５を固定部４２のネジ穴４３から入れて保護用クッション３３を介して天板支持部２５のネジ穴２６にネジ止めして天板コーナ取付具４０により本体ケース３に天板３０が取り付け固定される。
このとき、天板３０の外周端面と天板コーナ取付具４０の押え部４１と固定部４２との段差との間に所定の隙間ｔ１を設けるようにする。
【００３７】
このように、本発明の実施の形態２の誘導加熱調理器によれば、押え部４１と該押え部４１に段差を持って連設され、ネジ穴４３を有する固定部４２とからなる天板コーナ取付具４０を用いることにより、天板３０を本体ケース３の天板支持部２５に載置した後に、天板コーナ取付具４０の押え部４１を天板３０の外周縁の隅角部に当接させ、天板コーナ取付具４０の固定部４２のネジ穴４３を天板支持部２５のネジ穴２６と整合させて取付ネジ３５によりネジ止めするだけで誘導加熱調理器１を簡単に完成させることができる。
また、取付ネジ５３は天板コーナ取付具４０の押え部４１より段差をもって低い固定部４２にネジ止めされ、取付ネジ５３の頭部が押え部４１より飛び出すことがないので、天板３０に載置される調理用鍋が取付ネジ５３の頭部に当たることがなく、使い勝手が良い。
【００３８】
また、天板３０を本体ケース３の天板支持部２５に載置した後に天板コーナ取付具４０を用いて取付ネジ３５でネジ止めするときに、天板３０と本体ケース３の天板支持部２５との間に天板保護用クッション３３があるので、本体ケース３の天板支持部２５により天板３０が傷付くことがない。
さらに、誘導加熱調理器１の天板３０に調理用鍋が当たったり、食器棚等より食器類が落下したり等でヒビや割れが生じ、サービス修理時に天板３０を交換する場合、天板３０と本体ケース３の天板支持部２５とを固着している天板コーナ取付具４０の固定部４２における取付ネジ３５を緩めて天板コーナ取付具４０を取り外すことにより、簡単に本体ケース３から天板３０を分離することができるため、天板３０単体の交換を容易に行うことができ、リサイクル処理も容易に行うことができる。
【００３９】
さらに、天板３０を本体ケース３に天板コーナ取付具４０を用いて取付ネジ３５で取り付けた場合に、天板３０の外周端面と天板コーナ取付具４０の押え部４１と固定部４２との段差との間に所定の隙間ｔを設けているので、天板３０の一部が直接調理用鍋の高温にさらされ、天板３０が熱膨張した場合に、天板３０の外周縁がその隙間ｔ１寸法分だけ天板コーナ取付具４０の押え部４１の押圧面を滑つてのびるため、熱膨張により生じた応力が天板コーナ取付具４０の押え部４１による固定部分に集中することがないため、天板３０にヒビや割れを生じさせることを防止することができる。特に、発熱体であるが誘導加熱コイル２２が複数使用されていると、熱膨張が大きいが、この場合に有効である。
【００４０】
実施の形態３．
図７は本発明の実施の形態３に係る誘導加熱調理器の天板を示す平面図、図８は図７のＡ−Ａ線断面図である。
図において、本発明の実施の形態１と同様の構成は同一符号を付して重複した構成の説明を省略する。
この実施の形態３は天板３０外周縁の形状が実施の形態１と相違するものである。この実施の形態３の天板３０の前側と両側の外周縁には上縁から下縁に垂れ下がる傾斜面４５が形成されている。
この実施の形態３では、天板３０の前側と両側の外周縁には上縁から下縁に垂れ下がる傾斜面４５が形成されているので、調理用鍋を天板３０に載置した場合に、調理用鍋が天板３０の外周上縁に引っかかって天板３０を傷付けたり、調理用鍋から調理物が流れ出ることがなく、また天板３０を清掃する場合に、天板３０の外周上縁で指等を傷付けることがない。さらに、天板３０の外周上縁に水滴化した煮物汁等を容易に本体ケース３側に落下させることができる。
【００４１】
実施の形態４．
図９は本発明の実施の形態４に係る誘導加熱調理器の天板の取付部の要部を示す断面、図１０は同誘導加熱調理器の天板の取付部の要部を示すもう１つの断面図、図１１は同誘導加熱調理器の天板の取り付けに用いる防水パッキンの平面図、図１２は同誘導加熱調理器の天板の取り付けに用いる防水パッキンの拡大部分平面図、図１３は図１２のＢ−Ｂ線断面図である。
図において、本発明の実施の形態１と同様の構成は同一符号を付して重複した構成の説明を省略する。
この実施の形態４は実施の形態１と異なり、天板保護用クッション３３の代わりに本体ケース３の天板支持部２５と天板３０の外周縁との間に断面Ｕ字で全体が略矩形をした枠状の耐熱性を有する防水パッキン４６を介在させたものである。
この枠状の防水パッキン４６はその各隅角部にそれぞれ２つのネジ貫通穴４７を有し、その内壁の上部外面に斜め上方に延び、天板接触面より所定寸法だけ突出する肉薄の圧接変形容易なリップ片４８を有し、その外壁と底部に適宜間隔を置いて切欠して形成された空気・水抜き穴４９を有している。
【００４２】
この実施の形態４では、本体ケース３の開口部周縁に形成された天板支持部２５の全周に断面Ｕ字で枠状の防水パッキン４６を載置し、天板支持部２５のネジ穴２６と防水パッキン４６のネジ貫通穴４７を整合させ、しかる後に防水パッキン４６に天板３０の外周縁を載置し、天板３０の取付穴３１を防水パッキン４６のネジ貫通穴４７に整合させる。
そして、取付ネジ３５を天板３０の取付穴３１から入れて防水パッキン４６のネジ貫通穴４７を貫通させ、天板支持部２５のネジ穴２６にネジ止めして本体ケース３に防水パッキン４６を介して天板３０が取り付け固定される。
【００４３】
このように、本発明の実施の形態３の誘導加熱調理器によれば、本体ケース３に断面Ｕ字で枠状の防水パッキン４６を介して天板３０が取り付け固定されているので、防水パッキン４６によって本体ケース３内への水などの侵入が防止されると共に振動を吸収することができる。
また、本体ケース３に断面Ｕ字で枠状の防水パッキン４６を介して天板３０を取り付け固定したときに、防水パッキン４６と天板３０とで形成された空間にとじ込まれた空気や水等は空気・水抜き穴４９から外部に排出されるのため、防水パッキン４６と天板３０との密着性が高まり、防水パッキン４６の防水性が向上する。
さらに、本体ケース３に断面Ｕ字で枠状の防水パッキン４６を介して天板３０が取り付け固定された場合に、防水パッキン４６の内壁の上部外面に斜め上方に延び、天板３０の裏面より所定寸法だけ突出する圧接変形容易なリップ片４８が天板３０の裏面を圧接しているので、天板３０が万一熱変形したとしても、リップ片４８が天板３０の裏面に対して接触状態を保つため、本体ケース３内への水などの侵入が防止される。
【００４４】
実施の形態５．
図１４は本発明の実施の形態５に係る誘導加熱調理器を示す斜視図、図１５は同誘導加熱調理器の天板の取付部の要部を示す断面図である。
図において、本発明の実施の形態１と同様の構成は同一符号を付して重複した構成の説明を省略する。
この実施の形態５は実施の形態１と異なり、コ字形の天板周縁取付具５１を用いて天板３０の前側と両側の外周縁を覆うようにして天板３０を本体ケース３の天板支持部２５に取り付けるようにしたものである。
なお、天板３０の後側を天板周縁取付具５１で覆わないのは調理用鍋が天板３０の縁に当たりにくいためであり、必要に応じて天板３０の外周縁全周を覆う枠形状の天板周縁取付具５１でもよい。
この天板周縁取付具５１は図１４及び図１５に示すように天板３０の前側と両側の外周縁を覆うようにして押さえるコ字状で断面Ｌ字をした押え部５２と該押え部５２の下端に連設された横フランジ５３とで構成されている。そして、コ字状の押え部５２に適宜間隔を置いて複数のネジ穴５２ａが設けられている。また、天板周縁取付具５１の断面Ｌ字の押え部５２の角部はアール部５２ａに形成されている。５４は天板３０の前側と両側の外周縁を覆う断面コ字状のシール用パッキンで、適宜間隔を置いて複数のネジ穴５４ａが設けられている。なお、
【００４５】
この実施の形態５では、天板３０の前側と両側の外周縁を断面コ字状のシール用パッキン５４で覆い、シール用パッキン５４で覆われた天板３０を本体ケース３の開口部外周縁に形成された天板支持部２５に載置し、天板支持部２５のネジ穴２６とシール用パッキン５４のネジ穴５４ａ及び天板３０の取付穴３１を整合させ、しかる後に天板３０の前側と両側の外周縁を覆うシール用パッキン５４にコ字形の天板周縁取付具５１の押え部５２を載置し、押え部５２のネジ穴５２ａをシール用パッキン５４のネジ穴５４ａ及び天板３０の取付穴３１に整合させる。なお、シール用パッキン５４も天板３０の外周縁全周と接触する枠形状にしてもよい。
そして、取付ネジ３５を押え部５２のネジ穴５２ａから入れてシール用パッキン５４のネジ穴５４ａ及び天板３０の取付穴３１を貫通させ、天板支持部２５のネジ穴２６にネジ止めして天板周縁取付具５１により本体ケース３にシール用パッキン５４を介して天板３０が取り付け固定される。
また、天板３０の後側の外周縁は本体ケース３の天板支持部２５に取付ネジ３５により直接ネジ止めされている。
【００４６】
このように、本発明の実施の形態５の誘導加熱調理器によれば、本体ケース３の天板支持部２５にシール用パッキン５４で前側と両側の外周縁を覆われた天板３０を載置し、その天板３０にコ字形の天板周縁取付具５１の押え部５２を載置し、取付ネジ３５を押え部５２のネジ穴５２ａからシール用パッキン５４のネジ穴５４ａ及び天板３０の取付穴３１を貫通させ、天板支持部２５のネジ穴２６にネジ止めして天板周縁取付具５１により本体ケース３にシール用パッキン５４を介して天板３０が取り付け固定されているので、シール用パッキン５４によって本体ケース３内への水などの侵入が防止されると共に天板３０の前側と両側がシール用パッキン５４を介して天板周縁取付具５１の押え部５２により覆われることとなり、調理用鍋が当たってヒビや割れが生じ易い天板３０の前側と両側のヒビや割れを防止することができる。
また、天板周縁取付具５１の断面Ｌ字の押え部５２の角部はアール部に形成されているので、調理用鍋を天板３０に載置した場合に、調理用鍋が天板周縁取付具５１の角部に引っかかって調理用鍋から調理物が流れ出ることがなく、また天板３０を清掃する場合に、天板周縁取付具５１の角部で指等を傷付けることがない。さらに、天板周縁取付具５１の角部に水滴化した煮物汁等を容易に本体ケース３側に落下させることができる。
【００４７】
実施の形態６．
図１６は本発明の実施の形態６に係る誘導加熱調理器の天板の取付部の要部を示す断面図である。
図において、本発明の実施の形態１と同様の構成は同一符号を付して重複した構成の説明を省略する。
この実施の形態６は実施の形態５の変形例であり、コ字形の天板周縁取付具５６を用いて天板３０の前側と両側の外周縁を覆うようにして天板３０を本体ケース３の天板支持部２５に取り付けるようにしたものである。
なお、天板３０の後側を天板周縁取付具５６で覆わないのは調理用鍋が天板３０の縁に当たりにくいためであり、必要に応じて天板３０の外周縁全周を覆う枠形状の天板周縁取付具５６でもよい。
この天板周縁取付具５６は図１６に示すように天板３０の前側と両側の外周縁を覆うようにして押さえるコ字状で断面Ｌ字をした押え部５７と該押え部５７の下端に連設された固定部５８とで構成されている。そして、固定部５８に適宜間隔を置いて複数のネジ穴５８ａが設けられている。また、天板周縁取付具５６の断面Ｌ字の押え部５７の角部はアール部５７ａに形成されている。
【００４８】
この実施の形態６では、天板３０の前側と両側の外周縁を断面コ字状のシール用パッキン５６で覆い、シール用パッキン５６で覆われた天板３０を本体ケース３の開口部外周縁に形成された天板支持部２５に載置し、しかる後に天板３０の前側と両側の外周縁を覆うシール用パッキン５４にコ字形の天板周縁取付具５６の押え部５７を載置し、天板周縁取付具５６の固定部５８のネジ穴５８ａを天板支持部２５のネジ穴２６に整合させる。なお、シール用パッキン５４も天板３０の外周縁全周と接触する枠形状にしてもよい。
そして、取付ネジ３５を固定部５８のネジ穴５８ａから入れて天板支持部２５のネジ穴２６にネジ止めして天板周縁取付具５６により本体ケース３にシール用パッキン５４を介して天板３０が取り付け固定される。
また、天板３０後側は本体ケース３の天板支持部２５に取付ネジ３５により直接ネジ止めされている。
【００４９】
このように、本発明の実施の形態６の誘導加熱調理器によれば、本体ケース３の天板支持部２５にシール用パッキン５４で前側と両側の外周縁を覆われた天板３０を載置し、その天板３０にコ字形の天板周縁取付具５６の押え部５７を載置し、しかる後に天板３０の前側と両側の外周縁を覆うシール用パッキン５４にコ字形の天板周縁取付具５６の押え部５７を載置し、取付ネジ３５を固定部５８のネジ穴５８ａから入れて天板支持部２５のネジ穴２６にネジ止めして天板周縁取付具５６により本体ケース３にシール用パッキン５４を介して天板３０が取り付け固定されているので、シール用パッキン５４によって本体ケース３内への水などの侵入が防止されると共に天板３０の前側と両側がシール用パッキン５４を介して天板周縁取付具５６の押え部５７により覆われることとなり、調理用鍋が当たってヒビや割れが生じ易い天板３０の前側と両側のヒビや割れを防止することができる。
【００５０】
また、天板周縁取付具５６の断面Ｌ字の押え部５７の角部はアール部に形成されているので、調理用鍋を天板３０に載置した場合に、調理用鍋が天板周縁取付具５６の角部に引っかかって調理用鍋から調理物が流れ出ることがなく、また天板３０を清掃する場合に、天板周縁取付具５６の角部で指等を傷付けることがない。さらに、天板周縁取付具５６の角部に水滴化した煮物汁等を容易に本体ケース３側に落下させることができる。
さらに、取付ネジ５３は天板周縁取付具５６の押え部５７より低い固定部５８にネジ止めされ、取付ネジ５３の頭部が押え部５７より飛び出すことがないので、天板３０に載置される調理用鍋が取付ネジ５３の頭部に当たることがなく、使い勝手が良い。
【００５１】
上述した本発明の実施の形態１〜６に係る誘導加熱調理器１は、流し台２に組み込んだ状態で説明しているが、流し台２の上に置いて使用するタイプに当然応用できることは言うまでもない。
また、本発明の実施の形態に係る誘導加熱調理器１は３つの誘導加熱コイル２２を用いたものとして説明しているが、３つの誘導加熱コイル２２のうち、１つ又は２つを電気抵抗加熱コイルとしてもよく、３つの誘導加熱コイル２２に代えて全てを電気抵抗加熱コイルとした加熱調理器としたものについても適用があるとともに、発熱部は２つでも４つでもよく、数は限定されるものではない。
【００５２】
【発明の効果】
以上のように本発明の請求項１によれば、上面に開口部を有する本体ケースに該開口部を覆うようにセラミックス材より成る平板状の天板の外周縁を取付手段により着脱自在に取り付けるようにしたので、天板にヒビや割れが生じて天板を交換する場合に、枠体に天板の外周縁を着脱自在に取り付けている取付手段による取付を解除することにより、簡単に天板と本体ケースとを分離することができるため、天板単体の交換を容易に行え、異材質の部品を分離するリサイクル処理も容易に行うことができるという効果がある。
【００５３】
本発明の請求項２によれば、本体ケースに天板の外周縁を着脱自在に取り付けている取付手段は、天板の外周縁に形成された複数の取付穴と、本体ケースに形成された複数のネジ穴と、本体ケースに載置された天板の取付穴を貫通して該本体ケースのネジ穴にネジ止めする複数の取付ネジとからなるので、天板及び本体ケースの穴加工と取付ネジという簡単な部材の構成で取付手段を形成することができ、取り付け費用のコストを低減できるという効果がある。
【００５４】
本発明の請求項３によれば、天板の外周縁に形成された各取付穴の直径を取付ネジの直径より大きく形成したので、本体ケースに天板の外周縁を取付ネジで該取付穴に遊嵌状態に貫通させてネジ止めすことができ、天板が熱膨張したときに取付穴の取付ネジに対する余裕分だけ延びることとなり、天板にヒビや割れを生じさせることを防止できるという効果がある。
【００５５】
本発明の請求項４によれば、本体ケースと天板の外周縁との間で取付ネジの取付位置に天板保護用クッションを介在させたので、取付ネジにより天板の外周縁が本体ケースに押え付けられたときに、天板が本体ケースにより傷付くことが防止されるという効果がある。
【００５６】
本発明の請求項５によれば、取付ネジにより天板が本体ケースにネジ止めされる場合に、本体ケースと天板の外周縁との間に取付ネジが貫通する本体ケースの開口部より一回り大きい枠状の防水パッキンを介在させたので、天板が本体ケースにより傷付くことがなく、天板と本体ケースとの間に水やゴミ等などが侵入する隙間も生じることなくシールされるという効果がある。
【００５７】
本発明の請求項６によれば、枠状の防水パッキンの側壁全周に天板に向けて天板裏面より所定寸法だけ突出する圧接変形容易なリップ片を設けたので、天板が万一熱変形したとしても、リップ片が天板の裏面に対して接触状態を保つため、本体ケース内への水などの侵入が防止されるという効果がある。
【００５８】
本発明の請求項７によれば、天板の前側と両側の外周縁に上縁から下縁に垂れ下がる傾斜面を形成又は天板の前側と両側の外周上縁にアール部を形成したので、調理用鍋を天板に載置した場合に、調理用鍋が天板の外周上縁に引っかかって天板を傷付けたり、調理用鍋から調理物が流れ出ることがなく、また天板を清掃する場合に、天板の外周上縁で指等を傷付けることがない。さらに、天板の外周上縁に水滴化した煮物汁等を容易に本体ケースに落下させることができるという効果がある。
【００５９】
本発明の請求項８によれば、本体ケースに天板の外周縁を着脱自在に取り付けている取付手段は、本体ケースに載置された天板の外周縁の隅角部を押える押え部と、該押え部に連設され、取付ネジにより本体ケースに着脱自在に取り付られる固定部とを有する天板コーナ取付具としているので、押え部と固定部とを有する天板コーナ取付具と取付ネジという簡単な部材の構成で取付手段を形成することができ、取り付け費用のコストを低減できるという効果がある。
【００６０】
本発明の請求項９によれば、天板コーナ取付具の押え部位置における本体ケースと天板の外周縁との間に天板保護用クッションを介在させたので、取付ネジでネジ止めして天板コーナ取付具の押え部により天板の外周縁の隅角部が本体ケースに押え付けられたときに、天板が本体ケースにより傷付くことが防止されるという効果がある。
【００６１】
本発明の請求項１０によれば、本体ケースに天板の外周縁を着脱自在に取り付けている取付手段は、本体ケースに載置された天板の外周縁を覆うようにして押え、取付ネジにより本体ケースに着脱自在に取り付られる押え部を有する天板周縁取付具としているので、天板の外周縁が天板周縁取付具の押え部により覆われることとなり、調理用鍋が当たってヒビや割れが生じ易い天板のヒビや割れを防止することができるという効果がある。
【００６２】
本発明の請求項１１によれば、本体ケースに天板の外周縁を着脱自在に取り付けている取付手段は、本体ケースに載置された天板の外周縁を覆うようにして押える押え部と、該押え部の下端に連設され、取付ネジにより本体ケースに着脱自在に取り付られる固定部とを有する天板周縁取付具としているので、天板の外周縁が天板周縁取付具の押え部により覆われることとなり、調理用鍋が当たってヒビや割れが生じ易い天板の外周縁のヒビや割れを防止することができる。
また、取付ネジは天板周縁取付具の押え部の下端に連設された固定部にネジ止めされ、取付ネジの頭部が押え部より飛び出すことがないので、天板に載置される調理用鍋が取付ネジの頭部に当たることがなく、使い勝手が良いという効果がある。
【００６３】
本発明の請求項１２に係る加熱調理器は、天板の外周縁はコ字状のシール用パッキンで覆われているので、本体ケースに天板の外周縁を着脱自在に天板周縁取付具で取り付けた場合に、シール用パッキンによって本体ケース内への水等の侵入が防止されるという効果がある。
【００６４】
本発明の請求項１３によれば、天板周縁取付具の押え部の角部にアール部を形成したので、調理用鍋を天板に載置した場合に、調理用鍋が天板周縁取付具の角部に引っかかって調理用鍋から調理物が流れ出ることがなく、また天板を清掃する場合に、天板周縁取付具の角部で指等を傷付けることがなく、天板周縁取付具の角部に水滴化した煮物汁等を容易に本体ケース側に落下させることができるという効果がある。
【図面の簡単な説明】
【図１】本発明の実施の形態１に係る誘導加熱調理器を流し台に組み込んだ状態の断面図である。
【図２】同誘導加熱調理器の斜視図である。
【図３】同誘導加熱調理器の天板の取付部の要部を示す断面図である。
【図４】同加熱調理器の本体ケースに取り付けられる天板の一部を示す斜視図である。
【図５】本発明の実施の形態２に係る誘導加熱調理器の天板の取付部の要部を示す断面図である。
【図６】同誘導加熱調理器の天板の取付部の要部を示す斜視図である。
【図７】本発明の実施の形態３に係る誘導加熱調理器の天板を示す平面図である。
【図８】図７のＡ−Ａ線断面図である。
【図９】本発明の実施の形態４に係る誘導加熱調理器の天板の取付部の要部を示す断面図である。
【図１０】同誘導加熱調理器の天板の取付部の要部を示すもう１つの断面図である。
【図１１】同誘導加熱調理器の天板の取り付けに用いる防水パッキンの平面図である。
【図１２】同誘導加熱調理器の天板の取り付けに用いる防水パッキンの拡大部分平面図である。
【図１３】図１２のＢ−Ｂ線断面図である。
【図１４】本発明の実施の形態５に係る誘導加熱調理器を示す斜視図である。
【図１５】同誘導加熱調理器の天板の取付部の要部を示す断面図である。
【図１６】本発明の実施の形態６に係る誘導加熱調理器の天板の取付部の要部を示す断面図である。
【図１７】従来の誘導加熱調理器の構成を示す断面図である。
【図１８】もう１つの従来の電磁加熱調理器の構成を示す断面図である。
【符号の説明】
１　誘導加熱調理器、２　流し台、３　本体ケース、２２　誘導加熱コイル、２５　ネジ穴、３０　天板、３１　取付穴、３５　取付ネジ。
【図１】
2004071320.tif 000003
【図２】
2004071320.tif 000004
【図３】
2004071320.tif 000005
【図４】
2004071320.tif 000006
【図５】
2004071320.tif 000007
【図６】
2004071320.tif 000008
【図７】
2004071320.tif 000009
【図８】
2004071320.tif 000010
【図９】
2004071320.tif 000011
【図１０】
2004071320.tif 000012
【図１１】
2004071320.tif 000013
【図１２】
2004071320.tif 000014
【図１３】
2004071320.tif 000015
【図１４】
2004071320.tif 000016
【図１５】
2004071320.tif 000017
【図１６】
2004071320.tif 000018
【図１７】
2004071320.tif 000019
【図１８】
2004071320.tif 000020